(57)【要約】【課題】本考案は、それを履いて歩くだけで床の掃除ができる履物の提供を目的とする。【解決手段】本考案は、履物１の接地面としての底面１１を備え、その底面１１に、複数の刷毛１２１，１２２が下へ突出するように一体成形されたブラシ部が設けられていることを特徴とする履物１を提供する。【選択図】図２
0003153951.tif 000002
【実用新案登録請求の範囲】
【請求項１】
履物の接地面としての底面を備え、
その底面に、複数の刷毛が下へ突出するように一体成形されたブラシ部が設けられていることを特徴とする履物。
【請求項２】
前記ブラシ部に、さらに複数の滑止めが下へ突出するように一体成形されており、
また、前記滑止めは、その突出高さが、前記刷毛の突出高さより低いことを特徴とする請求項１に記載の履物。
【請求項３】
前記ブラシ部における複数の刷毛は、複数の細い刷毛と、複数の太い刷毛と、からなっていることを特徴とする請求項２に記載の履物。
【請求項４】
前記ブラシ部は、履物が履かれる際に踵の位置に対応する後方エリアと、該後方エリア以外の前方エリアと、を有し、
前記複数の太い刷毛は、前記後方エリアに設けられており、前記複数の細い刷毛は、前記前方エリアに設けられており、
また、前記後方エリアと前記前方エリアとの境に少なくとも一つの前記滑止めが設けられており、前記前方エリアに複数の前記滑止めが設けられていることを特徴とする請求項３に記載の履物。
【請求項５】
前記複数の太い刷毛は、前記ブラシ部の後縁に沿って扇形に配列されており、前記細い刷毛は、前記ブラシ部を横切る複数の直線状に配列されていることを特徴とする請求項３に記載の履物。
【請求項６】
前記刷毛は、その縦断面形状が三角形であることを特徴とする請求項３に記載の履物。
【請求項７】
前記ブラシ部の、履物が履かれる際に先端となる一端の底面に、傾斜突起が下へ突出するように形成されており、
該傾斜突起は、その突出高さが後方から前方へ向けて次第に低くなるように構成されていることを特徴とする請求項３に記載の履物。
【請求項８】
前記複数の刷毛は、その突出端部が先細り状に構成されていることを特徴とする請求項６に記載の履物。
【考案の詳細な説明】
【技術分野】
【０００１】
本考案は、履物に関し、特に、それを履いて歩くだけで床の掃除をすることができる履物に関する。
【背景技術】
【０００２】
従来の履物は、足部を守るものである。
また、従来の履物には、滑止めの効果が付されているものもある。
【考案の概要】
【考案が解決しようとする課題】
【０００３】
本考案は、それを履いて歩くだけで床の掃除をすることができる履物を提供することを目的とする。
【課題を解決するための手段】
【０００４】
上記目的を達成するために、本考案にかかる履物は、履物の接地面としての底面を備え、その底面に、複数の刷毛が下へ突出するように一体成形されたブラシ部が設けられていることを特徴とする。
【０００５】
なお、本考案においては、一実施例として前記ブラシ部に、さらに複数の滑止めが下へ突出するように一体成形されており、前記滑止めは、その突出高さが、前記刷毛の突出高さより低いものが挙げられている。
また、本考案においては、他の実施例として前記ブラシ部における複数の刷毛が、複数の細い刷毛と、複数の太い刷毛と、で構成されているものが挙げられている。
また、本考案においては、前記ブラシ部が、履物が履かれる際に踵の位置に対応する後方エリアと、該後方エリア以外の前方エリアと、を有し、
前記複数の太い刷毛が前記後方エリアに設けられており、前記複数の細い刷毛が前記前方エリアに設けられており、
また、前記後方エリアと前記前方エリアとの境に少なくとも一つの前記滑止めが設けられており、前記前方エリアに複数の前記滑止めが設けられているものが挙げられている。
また、本考案においては、前記複数の太い刷毛が、更に、前記ブラシ部の後縁に沿って扇形に配列されており、前記細い刷毛が、前記ブラシ部を横切る複数の直線状に配列されているものが挙げられている。
また、本考案において、前記刷毛は、その縦断面形状が三角形であるものが挙げられている。
また、本考案においては、前記ブラシ部の、履物が履かれる際に先端となる一端の底面に、傾斜突起が下へ突出するように形成されており、該傾斜突起は、その突出高さが、後方から前方へ向けて次第に低くなるように構成されているものも挙げられている。
さらに、本考案において、前記刷毛は、その突出端部が先細り状に構成されているものも挙げられている。
【考案の効果】
【０００６】
上記の構成により、本考案の履物を履いて歩くと、その底面に設けられたブラシ面により、床を綺麗に掃除することができる。
さらに、本考案の履物は、ブラシとして使用することもできる。
【図面の簡単な説明】
【０００７】
【図１】本考案にかかる実施例１の履物を下から見た平面図である。
【図２】図１をII−II線に沿って切断した断面図である。
【図３】前記実施例における太い刷毛及び細い刷毛を示す部分拡大図である。
【図４】図３をIV−IV線に沿って切断した断面図である。
【図５】本考案の実施例２を示す断面分解図である。
【図６】本考案の実施例３を示す断面分解図である。
【考案を実施するための形態】
【０００８】
以下、図１〜６を参照して本考案の実施例１〜３について説明する。
【実施例１】
【０００９】
図１及び図２に示されるように、本実施例１にかかる履物１は、その底面（履物の接地面）１１がブラシ面となっている。
図面を更に詳しくみると、履物１のブラシ面を構成している底面１１には、複数の刷毛１２と、複数の滑止め１３とが、それぞれ図中、下方（底面１１より離隔する方向）へ突出している。この複数の刷毛１２と、複数の滑止め１３とは、いずれも、履物１と一体に構成されている。
そして、底面１１には、履物１が履かれる際に踵の位置に対応する後方エリア１１１と、該後方エリア１１１以外の前方エリア１１２と、を有する。複数の刷毛１２は、後方エリア１１１に設けられている複数の太い刷毛１２１と、前方エリア１１２に設けられている複数の細い刷毛１２２と、で構成されている。
また、図１に示されるように、細い刷毛１２２は、底面１１を横切る複数の直線状に配列されており、また、複数の太い刷毛１２１は、底面１１の後縁１１３に沿って扇形に配列されている。
【００１０】
図３及び図４に示されるように、各刷毛１２は、その縦断面形状が三角形であり、その突出端部１２０が先細り状に構成されている。
なお、実施例１における複数の刷毛１２は、いずれもその突出高さが１ｃｍである。
そして、複数の滑止め１３は、複数の後方滑止め１３１と、複数の前方滑止め１３２と、で構成されている。
詳しくは、後方エリア１１１と前方エリア１１２との境には、後方滑止め１３１が二つ設けられている。前方エリア１１２には、前方滑止め１３２が四つ設けられている。
また、後方滑止め１３１の突出高さは、前方滑止め１３２の突出高さより高いが、複数の刷毛１２を地面と確実に接触させるため、滑止め１３の突出高さはいずれも１ｃｍより低く構成されている。
そして、いずれの滑止め１３も、その底面１３０の中央部分が図中、上方（履物底面１１方向）へ向けて窪んだドーム状の凹みとして構成されており、該底面１３０の周縁に沿って環状窪み１３０ａ（環状段差）が図中、上方（履物底面１１方向）へ窪むように構成されている。
さらに、履物１が履かれる際に、底面１１の、先端となる一端１００（履物底部のつま先側の端部）に、傾斜突起１４が下方へ突出するように形成されている。
傾斜突起１４は、その突出高さ（即ち肉厚）が後方から前方に向けて次第に低く（または薄く）なるように、その底面１４０に傾斜面１４１を構成している。これは、実施例１の履物１を履いて掃除をする場合、偶に爪先立ちすることもあるので、その時に優れた滑止め効果を得るためである。
【００１１】
上記の構成により、実施例１の履物１は、それを履いて歩くだけで床の掃除をすることができる。
特に、本実施例１にかかる履物１は、前記滑止め１３と傾斜突起１４という構成を備えることにより、風呂場などの湿った床でも、より安全に使用することができる。
そして、本実施例１の履物１全体は、ポリエチレンにより一体成形されているので、その複数の刷毛１２は、比較的硬く形成されており、長時間使用しても変形や脱落といった破損が生じ難くなっている。
【実施例２】
【００１２】
以下、図５を参照して本考案の実施例２を説明する。
同図に示されるように、本実施例２にかかる履物２は、一体成形された履物本体２０と、一体成形されたブラシ部２１とを、接着剤で接着してつくられている。
また、本実施例２にかかる履物２は、そのブラシ部２１の材料や構成が、前記実施例１にかかる履物全体の、甲部１０（図２参照）を除く部分と同じであるが、その履物本体２０は、エチレン−酢酸ビニル共重合体（ＥＶＡ）材又はポリビニルクロライド（ＰＶＣ）材からつくられているので、柔軟性が良く、履き心地が非常に良い。
【実施例３】
【００１３】
以下、図６を参照して本考案の実施例３を説明する。
同図に示されるように、本実施例３にかかる履物３は、一体成形された履物本体２０と、一体成形されたブラシ部２１とを、完全に硬化していないものの、形が形成される程度に硬化している状態の接着層３２で接着した後に、該接着層３２を完全に硬化させてつくられたものである。
本実施例におけるブラシ部３１及び履物本体３０の材料や構成は、実施例２に記載のものと同じである。
本実施例における接着層３２は、ポリウレタン（ＰＵ）から構成されている。
本実施例にかかる履物３は、ポリウレタンから構成された接着層３２で接着されているので、履物全体の強度が実施例２より高くなっている。
【産業上の利用可能性】
【００１４】
上記のように、本考案の履物は、履物として利用されることはもちろん、それを履くことで床掃除が楽にできる。
また、本考案にかかる履物は、複数の滑止め及び傾斜突起を設けているので、優れた滑止め効果があり、風呂場の床掃除などの水仕事での利用に適する。
【符号の説明】
【００１５】
１，２，３  ・・・履物
１０  ・・・甲部
１００  ・・・底面の一端
１１  ・・・履物の底面
１１１  ・・・後方エリア
１１２  ・・・前方エリア
１１３  ・・・底面の後縁
１２  ・・・刷毛
１２０  ・・・刷毛の突出端部
１２１  ・・・太い刷毛
１２２  ・・・細い刷毛
１３  ・・・滑止め
１３０  ・・・滑止めの底面
１３０ａ  ・・・環状窪み
１３１  ・・・後方滑止め
１３２  ・・・前方滑止め
１４  ・・・傾斜突起
１４０  ・・・傾斜突起の底面
１４１  ・・・傾斜面
２０，３０  ・・・履物本体
２１，３１  ・・・ブラシ部
３２  ・・・接着層
【図１】
0003153951.tif 000003
【図２】
0003153951.tif 000004
【図３】
0003153951.tif 000005
【図４】
0003153951.tif 000006
【図５】
0003153951.tif 000007
【図６】
0003153951.tif 000008